【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
有線ネットワークに接続されるゲートウェイ装置及び前記ゲートウェイ装置に前記有線ネットワークを介して接続され、無線アクセス方式を提供する少なくとも二つの無線基地局装置を備え、前記ゲートウェイ装置と前記各基地局装置との間で情報を通信するネットワークシステムにおいて、
前記ゲートウェイ装置は、
前記ゲートウェイ装置と前記各基地局装置との間における情報の遅延時間を前記基地局装置ごとに算出し、
前記算出した各基地局装置の遅延時間から、最大の遅延時間を選択し、
前記選択された最大の遅延時間と前記各基地局装置の遅延時間との差を算出し、
前記算出された各基地局装置の遅延時間の差を、対応する基地局装置に通知することを特徴とするネットワークシステム。
【請求項２】
前記ネットワークシステムは、更に前記無線アクセス方式を介して接続可能な端末を備え、
前記各基地局装置は、
前記ゲートウェイ装置とマルチキャストを用いて通信し、
前記通知された遅延時間の差に基づいて、前記ゲートウェイ装置から受信した前記マルチキャストを用いて通信される情報を前記端末に遅延させて送信することを特徴とする請求項１に記載のネットワークシステム。
【請求項３】
前記ゲートウェイ装置は、送信した送信時刻を含む第１制御パケットを前記各基地局装置に送信し、
前記各基地局装置は、前記第１制御パケットを受信した場合、前記第１制御パケットに含まれる前記送信時刻及び前記第１制御パケットが受信された受信時刻を含む第２制御パケットを前記ゲートウェイ装置に送信し、
前記ゲートウェイ装置は、前記第２制御パケットを受信した場合、前記第２制御パケットに含まれる前記受信時刻と前記送信時刻との差を算出することによって、前記ゲートウェイ装置と前記各基地局装置との間における情報の遅延時間を算出することを特徴とする請求項１に記載のネットワークシステム。
【請求項４】
前記ゲートウェイ装置は、前記第１制御パケットをマルチキャストを用いて前記各基地局装置に送信することを特徴とする請求項３に記載のネットワークシステム。
【請求項５】
前記ゲートウェイ装置は、前記第１制御パケットをユニキャストを用いて前記各基地局装置に送信することを特徴とする請求項３に記載のネットワークシステム。
【請求項６】
前記各基地局装置は、送信した送信時刻を含む制御パケットを前記ゲートウェイ装置に送信し、
前記ゲートウェイ装置は、前記制御パケットを受信した場合、前記制御パケットに含まれる送信時刻と前記制御パケットを受信した時刻との差を算出することにより、前記ゲートウェイ装置と前記各基地局装置との間における情報の遅延時間を算出することを特徴とする請求項１に記載のネットワークシステム。
【請求項７】
有線ネットワークに接続されるゲートウェイ装置及び前記ゲートウェイ装置に前記有線ネットワークを介して接続され、無線アクセス方式を提供する少なくとも二つの基地局装置を備え、前記ゲートウェイ装置と前記各基地局装置との間で情報を通信するネットワークシステムにおける前記各基地局装置の間で情報を送信するタイミングの制御方法において、
前記ゲートウェイ装置は、
前記ゲートウェイ装置と前記各基地局装置との間における情報の遅延時間を前記基地局装置ごとに算出し、
前記算出した各基地局装置の遅延時間から、最大の遅延時間を選択し、
前記選択された最大の遅延時間と前記各基地局装置の遅延時間との差を算出し、
前記算出された各基地局装置の遅延時間の差を、対応する基地局装置に通知することを特徴とする制御方法。
【請求項８】
前記ネットワークシステムは、更に無線アクセス方式を介して接続可能な端末を備え、
前記基地局装置は、
前記ゲートウェイ装置とマルチキャストを用いて通信し、
前記通知された遅延時間の差に基づいて、前記ゲートウェイ装置から受信した前記マルチキャストを用いて通信される情報を前記端末に遅延させて送信することを特徴とする請求項７に記載の制御方法。
【請求項９】
前記ゲートウェイ装置は、送信した送信時刻を含む第１制御パケットを前記各基地局装置に送信し、
前記各基地局装置は、前記第１制御パケットを受信した場合、前記第１制御パケットに含まれる前記送信時刻及び前記第１制御パケットが受信された受信時刻を含む第２制御パケットを前記ゲートウェイ装置に送信し、
前記ゲートウェイ装置は、前記第２制御パケットを受信した場合、前記第２制御パケットに含まれる前記受信時刻と前記送信時刻との差を算出することによって、前記ゲートウェイ装置と前記各基地局装置との間における情報の遅延時間を算出することを特徴とする請求項７に記載の制御方法。
【請求項１０】
前記ゲートウェイ装置は、前記第１制御パケットをマルチキャストを用いて前記各基地局装置に送信することを特徴とする請求項９に記載の制御方法。
【請求項１１】
前記ゲートウェイ装置は、前記第１制御パケットをユニキャストを用いて前記各基地局装置に送信することを特徴とする請求項９に記載の制御方法。
【請求項１２】
前記各基地局装置は、送信した送信時刻を含む制御パケットを前記ゲートウェイ装置に送信し、
前記ゲートウェイ装置は、前記制御パケットを受信した場合、前記制御パケットに含まれる送信時刻と前記制御パケットを受信した時刻との差を算出することにより、前記ゲートウェイ装置と前記各基地局装置との間における情報の遅延時間を算出することを特徴とする請求項７に記載の制御方法。
【請求項１３】
無線アクセス方式を提供する少なくとも二つの基地局装置と有線ネットワークを介して接続され、前記基地局装置と通信するゲートウェイ装置において、
前記ゲートウェイ装置は、演算処理をするプロセッサと、前記プロセッサに接続される記憶部と、前記有線ネットワークに接続されるネットワークインタフェースとを備え、
前記プロセッサは、
前記ゲートウェイ装置と前記各基地局装置との間における情報の遅延時間を前記基地局装置ごとに算出し、
前記算出した各基地局装置の遅延時間から、最大の遅延時間を選択し、
前記選択された最大の遅延時間と前記各基地局装置の遅延時間との差を算出し、
前記算出された各基地局装置の遅延時間の差を、対応する基地局装置に通知することを特徴とするゲートウェイ装置。
【請求項１４】
前記プロセッサは、
送信した送信時刻を含む第１制御パケットを前記各基地局装置に送信し、
前記各基地局装置が前記第１制御パケットを受信した受信時刻を含む第２制御パケットを前記各基地局装置から受信し、
前記第２制御パケットに含まれる前記受信時刻と前記送信時刻との差を算出することによって、前記ゲートウェイ装置と前記各基地局装置との間における情報の遅延時間を算出することを特徴とする請求項１３に記載のゲートウェイ装置。
【請求項１５】
前記プロセッサは、前記第１制御パケットをマルチキャストを用いて前記各基地局装置に送信することを特徴とする請求項１４に記載のゲートウェイ装置。
【請求項１６】
前記プロセッサは、前記第１制御パケットをユニキャストを用いて前記各基地局装置に送信することを特徴とする請求項１４に記載のゲートウェイ装置。
【請求項１７】
前記プロセッサは、
前記各基地局装置によって送信された送信時刻を含む制御パケットを前記各基地局装置から受信し、
前記制御パケットに含まれる送信時刻と前記制御パケットを受信した時刻との差を算出することにより、前記ゲートウェイ装置と前記各基地局装置との間における情報の遅延時間を算出することを特徴とする請求項１３に記載のゲートウェイ装置。